(57)【要約】【課題】  感光性記録媒体用カートリッジが、種類の異なる記録媒体用の記録再生装置に誤って装填されるのを阻止し、これにより記録されたデータや記録再生装置に与える損傷を防止することができる感光性記録媒体用カートリッジを提供する。【解決手段】感光性記録媒体２１を回転自在に収容するカートリッジ２０には、カートリッジ２０の装填方向Ｃ前方に向かって突出する突起部２０ｃが形成されている。カートリッジ２０が、未対応の記録再生装置１０に挿入されると、突起部２０ｃが記録再生装置１０のストッパ１３ｃと干渉して挿入が阻止され、これによりカートリッジ２０の誤装填が防止される。【選択図】図１
2007052833.tif 000002
【特許請求の範囲】
【請求項１】
感光性記録媒体を回転自在に収容すると共に前記感光性記録媒体の中心と記録面とを外部に露呈させる開口を有するカートリッジ本体と、前記カートリッジ本体の外側に取り付けられて前記開口を閉じる閉じ位置と前記開口を開放する開き位置との間で移動自在に配設されたシャッタと、を有する感光性記録媒体用カートリッジであって、
前記カートリッジ本体又は前記シャッタには、前記カートリッジ本体の装填方向前方に向かって突出する突起部が形成されていることを特徴とする感光性記録媒体用カートリッジ。
【請求項２】
感光性記録媒体を回転自在に収容すると共に前記感光性記録媒体の中心と記録面とを外部に露呈させる開口を有するカートリッジ本体と、前記カートリッジ本体の外側に取り付けられて前記開口を閉じる閉じ位置と前記開口を開放する開き位置との間で移動自在に配設されたシャッタと、を有する感光性記録媒体用カートリッジであって、
前記カートリッジ本体の側端面には、前記装填方向と直交する方向に突出する突起部が形成されていることを特徴とする感光性記録媒体用カートリッジ。
【請求項３】
前記突起部は、前記カートリッジ本体の前記装填方向に直交する方向の中心を通り前記装填方向に延びる中心線に対して非対称に形成され、前記突起部の有無を検出することにより前記感光性記録媒体用カートリッジの表裏が判別可能であることを特徴とする請求項１又は２に記載の感光性記録媒体用カートリッジ。
【請求項４】
前記感光性記録媒体は、ホログラム記録媒体であることを特徴とする請求項１から３のいずれか１つに記載の感光性記録媒体用カートリッジ。
【発明の詳細な説明】
【技術分野】
【０００１】
本発明は、感光性記録媒体用カートリッジに関し、特に、感光性記録媒体用カートリッジがメディアの種類が異なる記録再生装置に誤装填されるのを防止することができる感光性記録媒体用カートリッジに関する。
【背景技術】
【０００２】
各種情報を記録する記録媒体として、従来から記録原理の異なる円盤状の記録媒体が種々用いられている。これら円盤状の記録媒体は、外部からの塵埃や異物の侵入、作業者の接触による影響、感光性記録媒体にあっては光による感光の影響を排除するために、一般にシャッタ付きカートリッジケースに収容されている。また、カートリッジケースに収容された記録媒体にデータを記録し、または記録されたデータを再生する記録再生装置は、記録媒体ごとに専用の記録再生装置が用いられる。
【０００３】
このような記録媒体、例えば、光磁気ディスクは、カートリッジケースに収容されたディスクカセットが知られており、ディスクカセットごと記録再生装置に装填してデータが記録、再生される（例えば、特許文献１参照）。特許文献１のディスクカセットＤＫは、図１０に示すように、光磁気ディスク２が上ハーフ部材１ａと下ハーフ部材１ｂとからなるケース１内に回動自在に収容されている。
【０００４】
ケース１には、光磁気ディスク２の信号記録領域およびチャッキング部を外部に露出させる開口部３ａ，３ｂが形成されている。ケース１の外側には、開口部３ａ，３ｂを開閉するシャッタ４がスライド自在に配設されている。シャッタ４は、ケース１の前端面１ｃに沿ってスライド自在に設けられたスライダ５に固定されており、スライダ５に設けられた突部５ａが記録再生装置１０（図１１参照）のシャッタ開閉ピン１１によって押圧されてシャッタ４が移動して開口部３ａ，３ｂを開閉する。前端面１ｃには記録再生装置１０のシャッタ開閉ピン１１がシャッタ４を開位置まで変位させたときに入り込む凹部７が設けられている。
【０００５】
このようなディスクカセットＤＫは、図１１に示す記録再生装置１０に装填されてシャッタ４が開放され、データが記録、または再生される。記録再生装置１０のシャッタ開閉機構Ｅは、カセットホルダ１３に形成されたカム孔１２と、カム孔１２に係合してカム孔１２に沿って移動可能なシャッタ開閉ピン１１とから構成されている。
【０００６】
ディスクカセットＤＫのカセットホルダ１３への挿入が開始されると、ディスクカセットＤＫは、その両側端面１ｄ，１ｅがカセットホルダ１３の側壁１３ａ，１３ｂに摺接しながら挿入される。ディスクカセットＤＫの挿入に伴って、シャッタ開閉ピン１１はケース１に押されて前端面１ｃに摺接しながらカム孔１２に沿って移動する。これにより、シャッタ開閉ピン１１がスライダ５の突部５ａを押圧してシャッタ４を開放する。
【０００７】
シャッタ４が開位置に達すると、シャッタ開閉ピン１１はケース１の前端面１ｃに形成された凹部７に入り込むと共に、ディスクカセットＤＫの前端面１ｃがカセットホルダ１３の前端に設けられたストッパ１３ｃに当接してディスクカセットＤＫが装填位置に達する。そして、ケース１の裏面に設けられた位置決め用溝８にカセットホルダ１３の位置決めピン１４が嵌合してディスクカセットＤＫが所定の位置に位置決めされる。
【０００８】
【特許文献１】特開平７−２５４２４９号公報
【発明の開示】
【発明が解決しようとする課題】
【０００９】
種類の異なる円盤状記録媒体は、取扱い性などの問題から外径、形状などが類似したものが多い。従って、このような円盤状記録媒体を収容するカートリッジケースの形状や外形寸法も、必然的に類似したものが多くなる傾向がある。この場合、ホログラム記録媒体を収容する感光性記録媒体用カートリッジが、誤って光磁気ディスク用記録再生装置に装填されると、ホログラム記録媒体の記録層に損傷を与え、データが破壊される虞がある。また、極端な場合には、光磁気ディスク用記録再生装置が損傷を受ける可能性がある。
【００１０】
本発明は、上記事情に鑑みてなされたもので、その目的は、感光性記録媒体用カートリッジが、種類の異なる記録媒体用の記録再生装置に誤って装填されるのを阻止し、これにより記録されたデータや記録再生装置に与える損傷を防止することができる感光性記録媒体用カートリッジを提供することにある。
【課題を解決するための手段】
【００１１】
本発明の上記目的は、下記感光性記録媒体用カートリッジによって達成される。
（１）  感光性記録媒体を回転自在に収容すると共に前記感光性記録媒体の中心と記録面とを外部に露呈させる開口を有するカートリッジ本体と、前記カートリッジ本体の外側に取り付けられて前記開口を閉じる閉じ位置と前記開口を開放する開き位置との間で移動自在に配設されたシャッタと、を有する感光性記録媒体用カートリッジであって、前記カートリッジ本体又は前記シャッタには、前記カートリッジ本体の装填方向前方に向かって突出する突起部が形成されていることを特徴とする感光性記録媒体用カートリッジ。
【００１２】
上記構成の感光性記録媒体用カートリッジによれば、カートリッジ本体またはシャッタが、カートリッジ本体の装填方向前方に向かって突出する突起部を備えているので、感光性記録媒体用カートリッジが感光性記録媒体以外の記録媒体を対象とした記録再生装置（以下、未対応の記録再生装置と言う）に挿入されると、突起部が該記録再生装置のストッパに当接して、感光性記録媒体用カートリッジが最終位置まで挿入されるのを阻止する。従って、感光性記録媒体用カートリッジは、予定された装填位置に装填することができず、感光性記録媒体用カートリッジの誤装填が防止される。
【００１３】
（２）  感光性記録媒体を回転自在に収容すると共に前記感光性記録媒体の中心と記録面とを外部に露呈させる開口を有するカートリッジ本体と、前記カートリッジ本体の外側に取り付けられて前記開口を閉じる閉じ位置と前記開口を開放する開き位置との間で移動自在に配設されたシャッタと、を有する感光性記録媒体用カートリッジであって、前記カートリッジ本体の側端面には、前記装填方向と直交する方向に突出する突起部が形成されていることを特徴とする感光性記録媒体用カートリッジ。
【００１４】
上記構成の感光性記録媒体用カートリッジによれば、カートリッジ本体は、側端面に記装填方向と直交する方向に突出する突起部を備えるので、突起部が未対応の記録再生装置の側壁に干渉して、感光性記録媒体用カートリッジが最終位置まで挿入されるのを阻止する。従って、感光性記録媒体用カートリッジは、予定された装填位置に装填することができず、感光性記録媒体用カートリッジの誤装填が防止される。
【００１５】
（３）  前記突起部は、前記カートリッジ本体の前記装填方向に直交する方向の中心を通り前記装填方向に延びる中心線に対して非対称に形成され、前記突起部の有無を検出することにより前記感光性記録媒体用カートリッジの表裏が判別可能であることを特徴とする上記（１）又は（２）に記載の感光性記録媒体用カートリッジ。
【００１６】
上記構成の感光性記録媒体用カートリッジによれば、突起部がカートリッジ本体の左右方向の中心線に対して非対称に形成されているので、突起部の位置を検出することにより感光性記録媒体用カートリッジの表裏面を判別することができる。従って、両面記録可能な感光性記録媒体の表面または裏面を判別して適正にデータを記録または再生することができる。また、片面記録可能な感光性記録媒体では、表裏が誤って装填されるのを防止することができる。
【００１７】
（４）  前記感光性記録媒体は、ホログラム記録媒体であることを特徴とする上記（１）から（３）のいずれか１つに記載の感光性記録媒体用カートリッジ。
【００１８】
上記構成の感光性記録媒体用カートリッジによれば、感光性記録媒体用カートリッジの誤装填を阻止してホログラム記録媒体への誤った操作を防止することができる。これにより、ホログラム記録媒体を保護すると共に、記録されたデータの損傷を防止することができる。また、ホログラム記録媒体の表裏面を判別して適正に記録再生することができる。
【発明の効果】
【００１９】
本発明によれば、感光性記録媒体用カートリッジが、種類の異なる記録媒体用の記録再生装置に誤って装填されるのを防止し、これにより記録されたデータや記録再生装置に与える損傷を防止することができる感光性記録媒体用カートリッジを提供できる。
【発明を実施するための最良の形態】
【００２０】
以下、本発明の各実施形態を図面に基づいて詳しく説明する。
＜第１実施形態＞
図１は本発明の実施形態であるホログラム記録媒体用カートリッジ（以下、カートリッジと省略する）の表面を示す平面図、図２はカートリッジの裏面を示す平面図である。
【００２１】
図１および図２に示すように、カートリッジ２０は、このカートリッジを取り扱うホログラム記録装置等に対し、矢印Ｃ方向から装填される。記録ディスク２１は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク２１の穴部に補強材を付加してもよい。カートリッジ２０は、記録ディスク２１の両面の記録面に記録を行なうために、Ａ面２３ａまたはＢ面２３ｂのいずれかを上にしてホログラム記録装置にセットされる。
【００２２】
カートリッジ２０は、内部にディスク収容部（図示せず）が設けられたカートリッジ本体２３と、このカートリッジ本体２３の外側に摺動自在に組み込まれるシャッタ２４とを備えている。カートリッジ本体２３には、略長方形の開口２５、２６が形成されている。これらの開口２５、２６は、シャッタ２４が閉じ位置にあるときに、第１シャッタ２４ａ、第２シャッタ２４ｂによって閉じられている。
【００２３】
シャッタ２４が矢印Ｄ方向の開き位置に向けて移動すると、カートリッジ本体２３に設けられている開口２５、２６が開放される。これにより、ディスク収容部内に収容されている記録ディスク２１の中心部２１ａと、記録面２１ｂとが外部に露呈される。シャッタ２４は、内蔵するシャッタバネによって閉じ位置に付勢されている。
【００２４】
カートリッジ本体２３は、略板状の第１シェル２７と、この第１シェル２７に接合される第２シェル２８とから構成されている。第１シェル２７と第２シェル２８は、例えば、遮光性物質と滑剤とが添加された同一または類似の熱可塑性プラスチックを用いて、射出成形により形成されている。第１シェル２７と第２シェル２８とを重ね合わせることにより、内部に記録ディスク２１を回動自在に収容するディスク収容部が形成される。ディスク収容部の側壁は、複数の遮光壁が入り組んで形成されたラビリンス状の遮光構造となっているので、第１シェル２７及び第２シェル２８の合せ目から光や塵芥が入り込んでも、これらがディスク収容部内にまで進入することはない。
【００２５】
第１シェル２７及び第２シェル２８の外面には、シャッタ２４の厚み以上の深さで内側にオフセットされたシャッタ摺動面２７ａ、２８ａが、シャッタ２４の作動範囲の全域をカバーするように形成されている。
【００２６】
シャッタ２４は、遮光性を有する薄板を略コ字形状となるように屈曲させて形成されている。シャッタ２４は、遮光性、耐食性、装飾性、加工性を得ることができ、且つ軽量で強度のあるものとして、例えば、アルミニウム合金で形成されている。なお、シャッタ２４をプラスチックで形成してもよいが、遮光性と滑り性とを確保するために、遮光性物質と滑剤とが添加されたプラスチックを用いるとよい。
【００２７】
シャッタ２４は、第１シェル２７の外面に形成されたシャッタ摺動面２７ａに対向配置される第１シャッタ２４ａと、第２シェル２８の外面に形成されたシャッタ摺動面２８ａに対向配置される第２シャッタ２４ｂと、これら第１シャッタ２４ａと第２シャッタ２４ｂとを連設する連設部２４ｃとを備えている。シャッタ２４は、第１シャッタ２４ａおよび第２シャッタ２４ｂでカートリッジ本体２３の両面を挟み込み、且つ連設部２４ｃでカートリッジ２０の前面２０ａを覆うようにしてカートリッジ本体２３のシャッタ摺動面２７ａ、２８ａに取り付けられる。
【００２８】
第１シェル２７と第２シェル２８との外面には、シャッタ２４の厚み以上の深さで内側にオフセットさせたシャッタ摺動面２７ａ,２８ａが形成されているので、シャッタ２４はカートリッジ本体２３の外側をスムースに移動することができるため、移動による切屑等の発生を抑えることができる。なお、シャッタ摺動面２７ａ,２８ａおよびシャッタ２４の内面は、入射した光を拡散するために、粗面にしてもよい。
【００２９】
シャッタ２４は、図示しないシャッタバネにより閉じ方向に付勢されている。シャッタバネは、例えば、コイルバネからなり、その両端は、シャッタ２４と、第１シェル２７とに係止されている。
【００３０】
カートリッジ２０の前面２０ａには、突起部２０ｃがカートリッジ２０の装填方向Ｃ前方に突出して形成されている。突起部２０ｃは、カートリッジ本体２３の装填方向Ｃに直交する方向の中心を通り装填方向Ｃに延びる中心線ＣＬから距離Ｘ１だけ装填方向Ｃに直交する方向にオフセットされた位置にある。換言すれば、突起部２０ｃは中心線ＣＬに対して非対称となっている。また、カートリッジ２０の装填方向後方には、記録再生装置の位置決めピンに係合してカートリッジ２０を装填位置に位置決めする位置決め孔２２が形成されている。
【００３１】
次に、本発明のカートリッジの記録再生装置への装填について図３から図５に基づいて説明する。図３は図１に示すカートリッジが未対応の記録再生装置（感光性記録媒体用以外の記録再生装置）に挿入された状態を示す概略平面図、図４は図１に示すカートリッジが感光性記録媒体用記録再生装置（以下、正規の記録再生装置と言う）に装填された状態を示す概略平面図、図５は図４におけるＶ−Ｖ矢視断面図である。
【００３２】
図３に示すように、本発明のカートリッジ２０が、未対応の記録再生装置、例えば、図１１に示す光磁気ディスク用の記録再生装置１０に矢印Ｃ方向に挿入されると、カートリッジ２０の突起部２０ｃが記録再生装置１０のストッパ１３ｃに当接して更なるカートリッジ２０の挿入が阻止される。即ち、カートリッジ２０は、装填位置より距離Ｙだけ手前で阻止されてしまい、記録再生装置１０の位置決めピン１４とカートリッジ２０の位置決め孔２２とが嵌合することはない。これにより、カートリッジ２０の誤装填が防止される。カートリッジ２０が裏返されて挿入される場合も、同図に破線で示すように、突起部２０ｃが記録再生装置１０のストッパ１３ｃに当接してカートリッジ２０の誤装填が防止される。
【００３３】
一方、図３および図４に示すように、本発明のカートリッジ２０が正規の記録再生装置４０に矢印Ｃ方向に挿入されると、カートリッジ２０の突起部２０ｃは、記録再生装置４０のストッパ４１に設けられて逃げ穴４２ａ，４２ｂのいずれかに入り込むことにより装填位置まで挿入されて位置決め孔２２に位置決めピン４３が嵌合してカートリッジ２０の装填が完了する。
【００３４】
逃げ穴４２ａ，４２ｂは、中心線ＣＬに対して左右対称の位置に一対設けられている。これは、カートリッジ２０の表面（Ａ面）２３ａ、または裏面（Ｂ面）２３ｂのいずれの面が上に向けられて挿入されても、突起部２０ｃがいずれかの逃げ穴４２ａ，４２ｂに入り込むことができるようにするためである。
【００３５】
一方の逃げ穴４２ａの近傍には、該逃げ穴４２ａに挿入された突起部２０ｃの有無を検出することができるセンサ４５が配設されている。センサ４５は、突起部２０ｃの有無を検出可能なものであれば特に限定されず、例えば、光源４５ａから照射される光を受光部４５ｂで受光する光学センサを用いることができる。光源４５ａからの光が突起部２０ｃで遮られて受光部４５ｂで検出されないとき、カートリッジ２０はＡ面２３ａが上に向けられて挿入されたと判断され、光が受光部４５ｂで検出されたとき、Ｂ面２３ｂが上に向けられて挿入されたと判断される。
【００３６】
尚、片面記録の感光性記録媒体が収容されたカートリッジが挿入された場合は、片面記録カートリッジであることを図示しない検知部で検知しておき、光源４５ａからの光が受光部４５ｂで検出されたとき、該カートリッジはＢ面２３ｂが上に向けられて挿入されたと判断されて使用者に注意を喚起する。
【００３７】
上記したように、本発明のカートリッジ２０によれば、光磁気ディスク用記録再生装置などの未対応の記録再生装置１０にカートリッジ２０が挿入された場合は、その挿入が阻止されて装填が防止される。一方、正規の記録再生装置４０に挿入された場合は、正常に装填可能であり且つカートリッジ２０の表裏がセンサ４５により判別される。
【００３８】
図６は、変形例のカートリッジの平面図である。図６に示すように、変形例のカートリッジ３０は、シャッタ２４の前面に装填方向Ｃ前方に突出する突起部２４ｄが形成されている。突起部２４ｄは、中心線ＣＬに対して左右方向にＸ２だけオフセットされて配置されている。その他は、図１に示す第１実施形態のカートリッジ２０と同様であるので、同一部分には同一符号または相当符号を付して説明を省略または簡略化する。変形例のカートリッジ３０においても、突起部２４ｄがストッパ１３ｃに干渉することにより、該カートリッジ３０に未対応の記録再生装置１０への挿入が阻止される。一方、正規の記録再生装置４０への挿入は許容され、且つその表裏２３ａ，２３ｂが判別可能である。
【００３９】
＜第２実施形態＞
次に、本発明の第２実施形態のカートリッジについて、図７から図９を参照して説明する。図７は本発明の第２実施形態のカートリッジの平面図、図８はカートリッジが未対応の記録再生装置に挿入される状態を示す概略平面図、図９はカートリッジが正規の記録再生装置に挿入される状態を示す縦断面図である。尚、第２実施形態のカートリッジは、突起部の位置が第１実施形態のカートリッジと異なる以外は同様であるので、同一部分には同一符号または相当符号を付して説明を省略または簡略化する。
【００４０】
図７に示すように、第２実施形態のカートリッジ５０は、カートリッジ５０の一方の側端面５０ｂに突起部５０ｄが装填方向Ｃと直交する方向に突出して形成されている。図８に示すように、このようなカートリッジ５０が未対応の記録再生装置１０（図１１参照）に挿入されると、突起部５０ｄが記録再生装置１０の側壁１３ａに干渉して挿入が阻止されて誤装填が防止される。尚、Ｂ面２３ｂが上に向けられて挿入されたときは、図中に破線で示すように突起部５０ｄが側壁１３ｂに干渉して挿入が阻止される。
【００４１】
一方、図９に示すように、カートリッジ５０が正規の記録再生装置４０に挿入されると、突起部５０ｄは記録再生装置４０の側壁４０ａ、４０ｂにカートリッジ５０の挿入方向に形成された溝４６ａ、または４６ｂに嵌合するので支障なく挿入される。また、一方の側壁４０ａ、４０ｂには、装填されたカートリッジ５０の突起部５０ｄに対応する位置に、光源４５ａおよび受光部４５ｂとからなるセンサ４５が配設されている。従って、図４および図５で既に説明した第１実施形態のカートリッジ２０と同様に、その表裏が判別される。
【００４２】
尚、上記各実施形態において、シャッタのロック機構を持たないカートリッジについて説明したが、シャッタを閉じ位置でロックするロック機構を備えるようにしてもよい。この場合、シャッタが不用意に開放されることがないので、不注意による感光性記録媒体の感光が防止されるので好ましい。また、遮光性能を更に向上させるため、シャッタの外側に更に遮光板を配置することもできる。
【図面の簡単な説明】
【００４３】
【図１】図１から図５は、本発明の第１実施形態に係り、図１は本発明の実施形態であるホログラム記録媒体用カートリッジの表面を示す平面図である。
【図２】図１に示すカートリッジの裏面を示す平面図である。
【図３】図１に示すカートリッジが未対応の記録再生装置（感光性記録媒体用以外の記録再生装置）に挿入された状態を示す概略平面図である。
【図４】図１に示すカートリッジが正規の記録再生装置（感光性記録媒体用記録再生装置）に装填された状態を示す概略平面図である。
【図５】図４におけるＶ−Ｖ矢視断面図である。
【図６】変形例のカートリッジの平面図である。
【図７】図７から図９は本発明の第２実施形態に係り、図７はカートリッジの平面図である。
【図８】カートリッジが未対応の記録再生装置に挿入される状態を示す概略平面図である。
【図９】カートリッジが正規の記録再生装置に挿入される状態を示す縦断面図である。
【図１０】従来のディスクカセットの斜視図である。
【図１１】従来の記録再生装置の分解斜視図である。
【符号の説明】
【００４４】
２０       カートリッジ（感光性記録媒体用カートリッジ）
２０ｃ     突起部
２１       記録ディスク（感光性記録媒体、ホログラム記録媒体）
２１ａ     感光性記録媒体の中心部
２１ｂ     感光性記録媒体の記録面
２３       カートリッジ本体
２３ａ     Ａ面（表面）
２３ｂ     Ｂ面（裏面）
２４       シャッタ
２４ｄ     突起部
２５       開口
２６       開口
３０       カートリッジ（感光性記録媒体用カートリッジ）
５０       カートリッジ（感光性記録媒体用カートリッジ）
５０ｂ     側端面
５０ｄ     突起部
ＣＬ       中心線
【図１】
2007052833.tif 000003
【図２】
2007052833.tif 000004
【図３】
2007052833.tif 000005
【図４】
2007052833.tif 000006
【図５】
2007052833.tif 000007
【図６】
2007052833.tif 000008
【図７】
2007052833.tif 000009
【図８】
2007052833.tif 000010
【図９】
2007052833.tif 000011
【図１０】
2007052833.tif 000012
【図１１】
2007052833.tif 000013